(57)【要約】      （修正有）【課題】トップカバーが開位置に位置する状態において、第１露光ヘッド組の折り畳み量を第２露光ヘッド組の折り畳み量よりも小さくできながら、トップカバーを開閉するときの第１露光ヘッド組の揺動を第２露光ヘッド組の揺動と同程度に低減できる画像形成装置を提供する。【解決手段】トップカバーは、開位置と閉位置との間を、回転軸３６周りに回転可能である。露光ヘッド組６Ｋ，６Ｃは、トップカバーに回転可能に連結される。ジョイント１４Ｋ，１４Ｃは、リンク部材１０と、露光ヘッド組６Ｋ，６Ｃとを連結する。リンク部材１０は、トップカバーを開閉するときに、露光ヘッド組６Ｋ，６Ｃを回転させる。露光ヘッド組６Ｋの回転中心６６Ｋとジョイント１４Ｋとの間の距離Ｌ３は、露光ヘッド組６Ｃの回転中心６６Ｃとジョイント１４Ｃとの間の距離Ｌ４よりも大きい。【選択図】図５
2020181100.tif 000002
【特許請求の範囲】
【請求項１】
開口を有する筐体と、
第１端と、第２端とを有するトップカバーであって、前記トップカバーの前記第１端側が前記筐体に連結されて、前記開口を開ける開位置と前記開口を閉じる閉位置との間を、回転軸周りに回転可能なトップカバーと、
前記筐体内に配置される第１感光ドラムおよび第２感光ドラムと、
第１発光部と、
前記トップカバーが前記閉位置に位置する状態において前記第１発光部が発する光を前記第１感光ドラムの表面に結像させる第１光学部材と、
前記第１発光部と前記第１光学部材とを支持する第１ヘッドフレームと、
を有する第１露光ヘッド組であって、前記トップカバーに回転可能に連結される第１露光ヘッド組と、
第２発光部と、
前記トップカバーが前記閉位置に位置する状態において前記第２発光部が発する光を前記第２感光ドラムの表面に結像させる第２光学部材と、
前記第２発光部と前記第２光学部材とを支持する第２ヘッドフレームと、
を有する第２露光ヘッド組であって、前記トップカバーに回転可能に連結される第２露光ヘッド組と、
前記トップカバーの開閉に連動して移動するリンク部材と、
前記第１露光ヘッド組の回転中心に対して前記第１光学部材の反対側に位置し、前記リンク部材と前記第１露光ヘッド組とを連結する第１ジョイントと、
前記第２露光ヘッド組の回転中心に対して前記第２光学部材の反対側に位置し、前記リンク部材と前記第２露光ヘッド組と連結する第２ジョイントと、
を備え、
前記第１露光ヘッド組の回転中心は、前記第２露光ヘッド組の回転中心よりも前記トップカバーの前記第１端の近くに位置し、
前記リンク部材は、前記トップカバーが前記閉位置から前記開位置に移動するときに、前記第１露光ヘッド組を、前記第１光学部材が前記トップカバーの前記第１端に近づく向きに回転させるとともに、前記第２露光ヘッド組を、前記第２光学部材が前記トップカバーの前記第１端に近づく向きに回転させ、
前記第１露光ヘッド組の回転中心と前記第１ジョイントとの間の距離は、前記第２露光ヘッド組の回転中心と前記第２ジョイントとの間の距離よりも大きいことを特徴とする、画像形成装置。
【請求項２】
前記第１露光ヘッド組は、前記トップカバーが前記開位置に位置する状態において、前記第１光学部材が、前記第１ジョイントよりも前記トップカバーの前記第１端の近くに位置し、
前記第２露光ヘッド組は、前記トップカバーが前記開位置に位置する状態において、前記第２光学部材が、前記第２ジョイントよりも前記トップカバーの前記第１端の近くに位置することを特徴とする、請求項１に記載の画像形成装置。
【請求項３】
前記筐体内に配置される第３感光ドラムおよび第４感光ドラムと、
第３発光部と、
前記トップカバーが前記閉位置に位置する状態において前記第３発光部が発する光を前記第３感光ドラムの表面に結像させる第３光学部材と、
前記第３発光部と前記第３光学部材とを支持する第３ヘッドフレームと、
を有する第３露光ヘッド組であって、前記トップカバーに回転可能に連結され、前記第２露光ヘッド組に対して前記第１露光ヘッド組の反対側に位置する第３露光ヘッド組と、
第４発光部と、
前記トップカバーが前記閉位置に位置する状態において前記第４発光部が発する光を前記第４感光ドラムの表面に結像させる第４光学部材と、
前記第４発光部と前記第４光学部材とを支持する第４ヘッドフレームと、
を有する第４露光ヘッド組であって、前記トップカバーに回転可能に連結され、前記第３露光ヘッド組に対して前記第２露光ヘッド組の反対側に位置する第４露光ヘッド組と、
前記第３露光ヘッド組の回転中心に対して前記第３光学部材の反対側に位置し、前記リンク部材と前記第３露光ヘッド組とを連結する第３ジョイントと、
前記第４露光ヘッド組の回転中心に対して前記第４光学部材の反対側に位置し、前記リンク部材と前記第４露光ヘッド組と連結する第４ジョイントと、
を備え、
前記リンク部材は、前記トップカバーが前記閉位置から前記開位置に移動するときに、前記第３露光ヘッド組を、前記第３光学部材が前記トップカバーの前記第１端に近づく向きに回転させるとともに、前記第４露光ヘッド組を、前記第４光学部材が前記トップカバーの前記第１端に近づく向きに回転させ、
前記第３露光ヘッド組の回転中心と前記第３ジョイントとの間の距離と、前記第４露光ヘッド組の回転中心と前記第４ジョイントとの間の距離とは、前記第２露光ヘッド組の回転中心と前記第２ジョイントとの間の距離と同じであることを特徴とする、請求項１または２に記載の画像形成装置。
【請求項４】
前記筐体内に配置される第３感光ドラムおよび第４感光ドラムと、
第３発光部と、
前記トップカバーが前記閉位置に位置する状態において前記第３発光部が発する光を前記第３感光ドラムの表面に結像させる第３光学部材と、
前記第３発光部と前記第３光学部材とを支持する第３ヘッドフレームと、
を有する第３露光ヘッド組であって、前記トップカバーに回転可能に連結され、前記第２露光ヘッド組に対して前記第１露光ヘッド組の反対側に位置する第３露光ヘッド組と、
第４発光部と、
前記トップカバーが前記閉位置に位置する状態において前記第４発光部が発する光を前記第４感光ドラムの表面に結像させる第４光学部材と、
前記第４発光部と前記第４光学部材とを支持する第４ヘッドフレームと、
を有する第４露光ヘッド組であって、前記トップカバーに回転可能に連結され、前記第３露光ヘッド組に対して前記第２露光ヘッド組の反対側に位置する第４露光ヘッド組と、
前記第３露光ヘッド組の回転中心に対して前記第３光学部材の反対側に位置し、前記リンク部材と前記第３露光ヘッド組とを連結する第３ジョイントと、
前記第４露光ヘッド組の回転中心に対して前記第４光学部材の反対側に位置し、前記リンク部材と前記第４露光ヘッド組とを連結する第４ジョイントと、
を備え、
前記リンク部材は、前記トップカバーが前記閉位置から前記開位置に移動するときに、前記第３露光ヘッド組を、前記第３光学部材が前記トップカバーの前記第１端に近づく向きに回転させるとともに、前記第４露光ヘッド組を、前記第４光学部材が前記トップカバーの前記第１端に近づく向きに回転させ、
前記第３露光ヘッド組の回転中心と前記第３ジョイントとの間の距離と、前記第４露光ヘッド組の回転中心と前記第４ジョイントとの間の距離とは、前記第２露光ヘッド組の回転中心と前記第２ジョイントとの間の距離よりも小さいことを特徴とする、請求項１または２に記載の画像形成装置。
【請求項５】
前記第１ジョイントは、
前記第１露光ヘッド組の回転中心に対して前記第１光学部材の反対側に位置する突起と、
前記突起が挿入される穴とを備え、
前記リンク部材の移動方向と交差する交差方向における前記穴の寸法は、前記交差方向における前記突起の寸法よりも大きく、
前記交差方向と直交する直交方向における前記穴の寸法は、前記直交方向における前記突起の寸法と同じであることを特徴とする、請求項１〜４のいずれか一項に記載の画像形成装置。
【請求項６】
前記第１発光部は、前記第１感光ドラムの回転軸線方向に並ぶ複数の発光素子を備え、
前記第１光学部材は、複数のレンズからなるレンズアレイであることを特徴とする、請求項１〜５のいずれか一項に記載の画像形成装置。
【請求項７】
前記第１発光部の前記発光素子は、ＬＥＤであることを特徴とする、請求項６に記載の画像形成装置。
【請求項８】
前記トップカバーは、前記トップカバーが前記閉位置に位置する状態において前記筐体の内側へ向かって凹む凹部を有する排紙トレイを備え、
前記トップカバーが前記開位置に位置する状態において、前記トップカバーに対する前記第１露光ヘッド組の折り畳み量は、前記トップカバーに対する前記第２露光ヘッド組の折り畳み量よりも小さく、前記第１露光ヘッド組は、前記排紙トレイと接触しないことを特徴とする、請求項１〜７のいずれか一項に記載の画像形成装置。
【発明の詳細な説明】
【技術分野】
【０００１】
本開示は、画像形成装置に関する。
【背景技術】
【０００２】
従来、開口を有する筐体と、トップカバーと、４つの露光ヘッド組と、リンク部材と、４つのジョイントとを備える画像形成装置が知られている。トップカバーは、第１端と、第２端とを有し、トップカバーの第１端側が筐体に連結される。トップカバーは、開口を開ける開位置と開口を閉じる閉位置との間を、回転軸周りに回転可能である。トップカバーは、排紙トレイを備える。排紙トレイは、トップカバーが閉位置に位置する状態において筐体の内側へ向かって凹む。４つの露光ヘッド組は、トップカバーに回転可能に連結される。リンク部材は、カバーに連動して移動し、４つの露光ヘッド組を、露光ヘッド組の先端がトップカバーの第１端に近づくように回転させる。４つのジョイントは、リンク部材と４つの露光ヘッド組とを連結する。４つの露光ヘッド組は、排紙トレイに最も近い第１露光ヘッド組と、それ以外の３つの第２露光ヘッド組とを含む。４つのジョイントは、リンク部材と第１露光ヘッド組とを連結する第１ジョイントと、リンク部材と第２露光ヘッド組とを連結する第２ジョイントとを含む。そして、第１ジョイントは、リンク部材の移動方向において、第２ジョイントよりも大きな遊びを有する（下記特許文献１参照。）。
【０００３】
そのような画像形成装置では、トップカバーが閉位置から開位置に向かって移動するときに、リンク部材は、トップカバーに連動して移動し、まず、比較的遊びの小さい第２ジョイントに連結される第２露光ヘッド組の回転を開始させる。
【０００４】
その後、リンク部材は、第１ジョイントの遊びが第２ジョイントの遊びよりも大きい分、第２露光ヘッド組の回転の開始から遅れて、第１露光ヘッド組の回転を開始させる。
【０００５】
そのため、トップカバーが開位置に位置する状態において、第１露光ヘッド組の折り畳み量は、第２露光ヘッド組の折り畳み量よりも小さい。その結果、第１露光ヘッド組は、トップカバーが開位置に位置する状態において、排紙トレイを構成する壁と接触しないように位置する。
【先行技術文献】
【特許文献】
【０００６】
【特許文献１】特開２００９−２５１２３１号公報
【発明の概要】
【発明が解決しようとする課題】
【０００７】
しかし、上記した特許文献１に記載の画像形成装置では、リンク部材の移動方向において、第１ジョイントの遊びが第２ジョイントの遊びよりも大きいので、トップカバーを開閉するときに、第１露光ヘッド組が第２露光ヘッド組よりも揺動するおそれがある。トップカバーを開閉するときに、第１露光ヘッド組が揺動すると、第１露光ヘッド組が通過する可能性のある空間が大きくなるため、画像形成装置の内部において、第１露光ヘッド組が他の部品と衝突しないために空ける空間を、第２露光ヘッド組が他の部品と衝突しないために空ける空間よりも大きく確保する必要がある。
【０００８】
そこで、本開示の目的は、トップカバーが開位置に位置する状態において、第１露光ヘッド組の折り畳み量を第２露光ヘッド組の折り畳み量よりも小さくできながら、トップカバーを開閉するときの第１露光ヘッド組の揺動を第２露光ヘッド組の揺動と同程度に低減できる画像形成装置を提供することにある。
【課題を解決するための手段】
【０００９】
（１）本開示の画像形成装置は、筐体と、トップカバーと、第１感光ドラムと、第２感光ドラムと、第１露光ヘッド組と、第２露光ヘッド組と、リンク部材と、第１ジョイントと、第２ジョイントと、を備える。筐体は、開口を有する。トップカバーは、第１端と、第２端とを有する。トップカバーは、トップカバーの第１端側が筐体に連結される。トップカバーは、開口を開ける開位置と、開口を閉じる閉位置との間を、回転軸周りに回転可能である。
【００１０】
第１感光ドラムおよび第２感光ドラムは、筐体内に配置される。第１露光ヘッド組は、第１発光部と、第１光学部材と、第１ヘッドフレームとを有する。第１露光ヘッド組は、トップカバーに回転可能に連結される。第１光学部材は、トップカバーが閉位置に位置する状態において第１発光部が発する光を第１感光ドラムの表面に結像させる。第１ヘッドフレームは、第１発光部と第１光学部材とを支持する。第２露光ヘッド組は、第２発光部と、第２光学部材と、第２ヘッドフレームとを有する。第２露光ヘッド組は、トップカバーに回転可能に連結される。第２光学部材は、トップカバーが閉位置に位置する状態において第２発光部が発する光を第２感光ドラムの表面に結像させる。第２ヘッドフレームは、第２発光部と第２光学部材とを支持する。
【００１１】
リンク部材は、トップカバーの開閉に連動して移動する。第１ジョイントは、リンク部材と第１露光ヘッド組とを連結する。第１ジョイントは、第１露光ヘッド組の回転中心に対して第１光学部材の反対側に位置する。第２ジョイントは、リンク部材と第２露光ヘッド組とを連結する。第２ジョイントは、第２露光ヘッド組の回転中心に対して第２光学部材の反対側に位置する。
【００１２】
第１露光ヘッド組の回転中心は、第２露光ヘッド組の回転中心よりもトップカバーの第１端の近くに位置する。リンク部材は、トップカバーが閉位置から開位置に移動するときに、第１露光ヘッド組を、第１光学部材がトップカバーの第１端に近づく向きに回転させるとともに、第２露光ヘッド組を、第２光学部材がトップカバーの第１端に近づく向きに回転させる。
【００１３】
第１露光ヘッド組の回転中心と第１ジョイントとの間の距離は、第２露光ヘッド組の回転中心と第２ジョイントとの間の距離よりも大きい。
【００１４】
このような構成によれば、リンク部材がトップカバーと連動して移動すると、第１ジョイントおよび第２ジョイントがリンク部材とともに移動して、第１露光ヘッド組と第２露光ヘッド組とが同時に回転して折り畳みを開始する。
【００１５】
ここで、第１露光ヘッド組の回転中心と第１ジョイントとの間の距離は、第２露光ヘッド組の回転中心と第２ジョイントとの間の距離よりも大きい。そのため、第１ジョイントが有する遊びと第２ジョイントが有する遊びとを同程度にして、第１露光ヘッド組と第２露光ヘッド組との折り畳みを同時に開始させても、トップカバーが開位置に位置する状態において、第１露光ヘッド組の折り畳み量は、第２露光ヘッド組の折り畳み量よりも小さくなる。
【００１６】
そのため、第１ジョイントの遊びに起因する第１露光ヘッド組の揺動を、第２ジョイントの遊びに起因する第２露光ヘッド組の揺動と同程度に維持できながら、トップカバーが開位置に位置する状態において、第１露光ヘッド組の折り畳み量を、第２露光ヘッド組の折り畳み量よりも小さくできる。その結果、第１露光ヘッド組の近くに他の部品を配置することができる。
【００１７】
また、上記の構成によれば、第１ジョイントの遊びに起因する第１露光ヘッド組の揺動を、第２ジョイントの遊びに起因する第２露光ヘッド組の揺動と同程度に維持できるので、トップカバーを開閉するときに、第１露光ヘッド組が通過する可能性のある空間を、第２露光ヘッド組が通過する可能性のある空間と同程度に狭めることができる。その結果、第１露光ヘッド組が他の部品と衝突しないために空ける空間を、第２露光ヘッド組が他の部品と衝突しないために空ける空間と同程度に狭めることができ、画像形成装置の小型化を図ることができる。あるいは、第１露光ヘッド組が通過する可能性のある空間を狭めることにより空いた空間を利用して、他の部品を配置することができる。
【００１８】
（２）第１露光ヘッド組は、トップカバーが開位置に位置する状態において、第１光学部材が、第１ジョイントよりもトップカバーの第１端の近くに位置してもよい。第２露光ヘッド組は、トップカバーが開位置に位置する状態において、第２光学部材が、第２ジョイントよりもトップカバーの第１端の近くに位置してもよい。
【００１９】
（３）画像形成装置は、第３感光ドラムと、第４感光ドラムと、第３露光ヘッド組と、第４露光ヘッド組と、第３ジョイントと、第４ジョイントと、を備えてもよい。第３感光ドラムおよび第４感光ドラムは、筐体内に配置される。第３露光ヘッド組は、第３発光部と、第３光学部材と、第３ヘッドフレームとを有する。第３光学部材は、トップカバーが閉位置に位置する状態において第３発光部が発する光を第３感光ドラムの表面に結像させる。第３ヘッドフレームは、第３発光部と第３光学部材とを支持する。第３露光ヘッド組は、トップカバーに回転可能に連結される。第３露光ヘッド組は、第２露光ヘッド組に対して第１露光ヘッド組の反対側に位置する。第４露光ヘッド組は、第４発光部と、第４光学部材と、第４ヘッドフレームとを有する。第４光学部材は、トップカバーが閉位置に位置する状態において第４発光部が発する光を第４感光ドラムの表面に結像させる。第４ヘッドフレームは、第４発光部と第４光学部材とを支持する。第４露光ヘッド組は、トップカバーに回転可能に連結される。第４露光ヘッド組は、第３露光ヘッド組に対して第２露光ヘッド組の反対側に位置する。
【００２０】
第３ジョイントは、リンク部材と第３露光ヘッド組とを連結する。第３ジョイントは、第３露光ヘッド組の回転中心に対して第３光学部材の反対側に位置する。第４ジョイントは、リンク部材と第４露光ヘッド組とを連結する。第４ジョイントは、第４露光ヘッド組の回転中心に対して第４光学部材の反対側に位置する。リンク部材は、トップカバーが閉位置から開位置に移動するときに、第３露光ヘッド組を、第３光学部材がトップカバーの第１端に近づく向きに回転させるとともに、第４露光ヘッド組を、第４光学部材がトップカバーの第１端に近づく向きに回転させる。
【００２１】
第３露光ヘッド組の回転中心と第３ジョイントとの間の距離と、第４露光ヘッド組の回転中心と第４ジョイントとの間の距離とは、第２露光ヘッド組の回転中心と第２ジョイントとの間の距離と同じであってもよい。
【００２２】
（４）画像形成装置は、第３感光ドラムと、第４感光ドラムと、第３露光ヘッド組と、第４露光ヘッド組と、第３ジョイントと、第４ジョイントと、を備えてもよい。第３感光ドラムおよび第４感光ドラムは、筐体内に配置される。第３露光ヘッド組は、第３発光部と、第３光学部材と、第３ヘッドフレームとを有する。第３光学部材は、トップカバーが閉位置に位置する状態において第３発光部が発する光を第３感光ドラムの表面に結像させる。第３ヘッドフレームは、第３発光部と第３光学部材とを支持する。第３露光ヘッド組は、トップカバーに回転可能に連結される。第３露光ヘッド組は、第２露光ヘッド組に対して第１露光ヘッド組の反対側に位置する。第４露光ヘッド組は、第４発光部と、第４光学部材と、第４ヘッドフレームとを有する。第４光学部材は、トップカバーが閉位置に位置する状態において第４発光部が発する光を第４感光ドラムの表面に結像させる。第４ヘッドフレームは、第４発光部と第４光学部材とを支持する。第４露光ヘッド組は、トップカバーに回転可能に連結される。第４露光ヘッド組は、第３露光ヘッド組に対して第２露光ヘッド組の反対側に位置する。
【００２３】
第３ジョイントは、リンク部材と第３露光ヘッド組とを連結する。第３ジョイントは、第３露光ヘッド組の回転中心に対して第３光学部材の反対側に位置する。第４ジョイントは、リンク部材と第４露光ヘッド組とを連結する。第４ジョイントは、第４露光ヘッド組の回転中心に対して第４光学部材の反対側に位置する。リンク部材は、トップカバーが閉位置から開位置に移動するときに、第３露光ヘッド組を、第３光学部材がトップカバーの第１端に近づく向きに回転させるとともに、第４露光ヘッド組を、第４光学部材がトップカバーの第１端に近づく向きに回転させる。
【００２４】
第３露光ヘッド組の回転中心と第３ジョイントとの間の距離と、第４露光ヘッド組の回転中心と第４ジョイントとの間の距離とは、第２露光ヘッド組の回転中心と第２ジョイントとの間の距離よりも小さくてもよい。
【００２５】
（５）第１ジョイントは、突起と、穴を備える。突起は、第１露光ヘッド組の回転中心に対して第１光学部材の反対側に位置する。穴は、突起が挿入される。リンク部材の移動方向と交差する交差方向における穴の寸法は、交差方向における突起の寸法よりも大きくてもよい。交差方向と直交する直交方向における穴の寸法は、直交方向における突起の寸法と同じである。
【００２６】
（６）第１発光部は、複数の発光素子を備えてもよい。複数の発光素子は、第１感光ドラムの回転軸線方向に並ぶ。第１光学部材は、複数のレンズからなるレンズアレイであってもよい。
【００２７】
（７）第１発光部の発光素子は、ＬＥＤであってもよい。
【００２８】
（８）トップカバーは、排紙トレイを備えてもよい。排紙トレイは、凹部を有する。凹部は、トップカバーが閉位置に位置する状態において筐体の内側へ向かって凹む。トップカバーが開位置に位置する状態において、トップカバーに対する第１露光ヘッド組の折り畳み量は、トップカバーに対する第２露光ヘッド組の折り畳み量よりも小さく、第１露光ヘッド組は、排紙トレイと接触しない。
【発明の効果】
【００２９】
本開示の画像形成装置によれば、トップカバーが開位置に位置する状態において、第１露光ヘッド組の折り畳み量を第２露光ヘッド組の折り畳み量よりも小さくできながら、トップカバーを開閉するときの第１露光ヘッド組の揺動を第２露光ヘッド組の揺動と同程度に低減できる。
【図面の簡単な説明】
【００３０】
【図１】図１は、画像形成装置の概略構成図である。
【図２】図２は、図１に示す露光ヘッド組の概略構成図である。
【図３】図３は、図１に示す画像形成装置の斜視図であって、トップカバーが開位置に位置する状態である。
【図４】図４は、図３に示す露光ヘッド支持部およびリンク機構支持部の側面図である。
【図５】図５は、図３に示すリンク部材の側面図である。
【図６】図６は、図５に示すトップカバーが閉位置と開位置との間に位置する状態を説明する説明図である。
【図７】図７は、図５に示すトップカバーが開位置に位置する状態におけるリンク部材を説明する説明図である。
【図８】図８は、画像形成装置の第２実施形態の概略構成図であって、トップカバーが開位置に位置する状態である。
【発明を実施するための形態】
【００３１】
１．画像形成装置の概略
図１を参照して、画像形成装置１の概略について説明する。
【００３２】
図１に示すように、画像形成装置１は、枚葉状の記録媒体（メディア、記録材、シート）にトナー像を形成するように構成される。枚葉状の記録媒体としては、例えば、普通紙、厚紙、薄紙、封筒、葉書、シール、オーバーヘッドプロジェクター（ＯＨＰ）用シートなどのプラスチックフィルム、布などが含まれる。以下の説明では、画像形成装置１によってトナー像が形成される記録媒体の一例として用紙と記す。そして、通紙、給紙、排紙など紙に纏わる用語を用いて説明するが、その材質は、紙に限定されるものではない。
【００３３】
画像形成装置１は、筐体２と、トップカバー３と、給紙トレイ４と、４つの感光ドラム５Ｋ、５Ｃ、５Ｍ、５Ｙ、４つの帯電器１２Ｋ、１２Ｃ、１２Ｍ、１２Ｙと、４つの露光ヘッド組６Ｋ、６Ｃ、６Ｍ、６Ｙと、４つの現像カートリッジ７Ｋ、７Ｃ、７Ｍ、７Ｙと、転写装置８と、定着装置９とを備える。
【００３４】
１．１  筐体
筐体２は、給紙トレイ４と、４つの感光ドラム５Ｋ、５Ｃ、５Ｍ、５Ｙと、４つの帯電器１２Ｋ、１２Ｃ、１２Ｍ、１２Ｙと、４つの露光ヘッド組６Ｋ、６Ｃ、６Ｍ、６Ｙと、４つの現像カートリッジ７Ｋ、７Ｃ、７Ｍ、７Ｙと、転写装置８と、定着装置９とを収容する。筐体２は、開口２０を有する。開口２０は、４つの現像カートリッジ７Ｋ、７Ｃ、７Ｍ、７Ｙに対して、転写装置８の反対側に位置する。開口２０は、筐体２の上端に位置する。
【００３５】
１．２  トップカバー
トップカバー３は、開口２０を閉じる閉位置と、開口２０を開ける開位置（図３参照）との間を、回転軸３６周りに回転可能である。回転軸３６は、第１方向に延びる。トップカバー３は、第１方向と直交する方向に延びる。トップカバー３は、第１端３４と、第２端３５とを有する。トップカバー３は、トップカバー３の第１端３４側が筐体２に連結される。本実施形態では、第１端３４が、筐体２に回転可能に直接連結される。第２端３５は、第１方向と直交する方向において、第１端３４から離れて位置する。第２端３５は、トップカバー３が閉位置から開位置に回転したときに、筐体２から離れるように移動する（図３参照）。
【００３６】
トップカバー３は、排紙トレイ３０を備える。排紙トレイ３０は、トップカバー３が閉位置に位置する状態において、トップカバー３の上面に位置する。排紙トレイ３０は、凹部３００を有する。凹部３００は、トップカバー３が閉位置に位置する状態において筐体２の内側へ向かって凹む。凹部３００は、第１壁３０００と、第２壁３００１とを有する。第１壁３０００は、トップカバー３が閉位置に位置する状態において上下方向に延びる。第１壁３０００は、排紙口３００２を有する。第２壁３００１は、第１壁３０００に対して第１端３４の反対側に位置する。第２壁３００１は、トップカバー３の延びる方向において、第１壁３０００と連続する第１端と、第１端から離れて位置する第２端とを有する。トップカバー３が閉位置に位置する状態において、第２壁３００１の第１端は、第１壁３０００の下端と連続し、第２壁３００１の第２端は、第２壁３００１の第１端よりも上方に位置する。
【００３７】
１．３  給紙トレイ
給紙トレイ４は、用紙Ｐを収容する。給紙トレイ４内の用紙Ｐは、感光ドラム５Ｙに向かって搬送される。
【００３８】
１．３  感光ドラム
４つの感光ドラム５Ｋ、５Ｃ、５Ｍ、５Ｙは、筐体２内に配置される。４つの感光ドラム５Ｋ、５Ｃ、５Ｍ、５Ｙは、第２方向において、トップカバー３の第１端３４に近い方から順に並ぶ。第２方向は、第１方向と交差する。第２方向は、好ましくは、第１方向と直交する。また、トップカバー３が閉位置に位置する状態において、第１端３４と第２端３５とは、好ましくは、第２方向に間隔を空けて位置する。４つの感光ドラム５Ｋ、５Ｃ、５Ｍ、５Ｙのそれぞれは、第１方向に延びる回転軸について回転可能である。つまり、第１方向は、感光ドラム５Ｋの回転軸線方向である。４つの感光ドラム５Ｋ、５Ｃ、５Ｍ、５Ｙのそれぞれは、第１方向に延び、円筒形状を有する。
【００３９】
１．４  帯電器
帯電器１２Ｋは、感光ドラム５Ｋの表面を帯電させる。帯電器１２Ｃは、感光ドラム５Ｃの表面を帯電させる。帯電器１２Ｍは、感光ドラム５Ｍの表面を帯電させる。帯電器１２Ｙは、感光ドラム５Ｙの表面を帯電させる。具体的には、４つの帯電器１２Ｋ、１２Ｃ、１２Ｍ、１２Ｙのそれぞれは、帯電ローラである。なお、４つの帯電器１２Ｋ、１２Ｃ、１２Ｍ、１２Ｙのそれぞれは、スコロトロン型の帯電器であってもよい。
【００４０】
１．５  露光ヘッド組
露光ヘッド組６Ｋは、トップカバー３に回転可能に連結される。露光ヘッド組６Ｋは、回転中心６６Ｋについて回転可能である。露光ヘッド組６Ｋは、トップカバー３が閉位置に位置する状態で、第２方向において、現像カートリッジ７Ｋと第２壁３００１の第１端との間に位置する。露光ヘッド組６Ｋは、帯電された感光ドラム５Ｋの表面を露光して、感光ドラム５Ｋの表面に静電潜像を形成する。
【００４１】
露光ヘッド組６Ｃは、トップカバー３に回転可能に連結される。露光ヘッド組６Ｃは、回転中心６６Ｃについて回転可能である。露光ヘッド組６Ｃは、露光ヘッド組６Ｋに対してトップカバー３の第１端３４の反対側に位置する。つまり、露光ヘッド組６Ｋの回転中心６６Ｋは、露光ヘッド組６Ｃの回転中心６６Ｃよりもトップカバー３の第１端３４の近くに位置する。また、露光ヘッド組６Ｃは、トップカバー３が閉位置に位置する状態で、現像カートリッジ７Ｋと現像カートリッジ７Ｃとの間に位置する。露光ヘッド組６Ｃは、帯電された感光ドラム５Ｃの表面を露光して、感光ドラム５Ｃの表面に静電潜像を形成する。
【００４２】
露光ヘッド組６Ｍは、トップカバー３に回転可能に連結される。露光ヘッド組６Ｍは、回転中心６６Ｍについて回転可能である。露光ヘッド組６Ｍは、露光ヘッド組６Ｃに対して露光ヘッド組６Ｋの反対側に位置し、トップカバー３が閉位置に位置する状態において、現像カートリッジ７Ｃと現像カートリッジ７Ｍとの間に位置する。露光ヘッド組６Ｍは、帯電された感光ドラム５Ｍの表面を露光して、感光ドラム５Ｍの表面に静電潜像を形成する。
【００４３】
露光ヘッド組６Ｙは、トップカバー３に回転可能に連結される。露光ヘッド組６Ｙは、回転中心６６Ｙについて回転可能である。露光ヘッド組６Ｙは、露光ヘッド組６Ｍに対して露光ヘッド組６Ｃの反対側に位置し、トップカバー３が閉位置に位置する状態において、現像カートリッジ７Ｍと現像カートリッジ７Ｙとの間に位置する。露光ヘッド組６Ｙは、帯電された感光ドラム５Ｙの表面を露光して、感光ドラム５Ｙの表面に静電潜像を形成する。
【００４４】
１．６  現像カートリッジ
４つの現像カートリッジ７Ｋ、７Ｃ、７Ｍ、７Ｙのそれぞれは、筐体２に装着可能である。４つの現像カートリッジ７Ｋ、７Ｃ、７Ｍ、７Ｙは、同じ構造であるから、代表して現像カートリッジ７Ｋについて説明する。
【００４５】
現像カートリッジ７Ｋは、トナーを収容可能である。現像カートリッジ７Ｋは、現像ローラ７０を備える。現像ローラ７０は、第１方向に延びる軸について回転可能である。現像ローラ７０は、第１方向に延び、円柱形状を有する。現像ローラ７０は、現像カートリッジ７Ｋが画像形成装置１に装着された状態で、感光ドラム５Ｋの周面に接触する。現像ローラ７０は、感光ドラム５Ｋの周面にトナーを供給して、感光ドラム５Ｋの周面の静電潜像をトナー像として現像する。なお、現像カートリッジ７Ｃは、感光ドラム５Ｃの周面にトナーを供給して、トナー像を形成する。現像カートリッジ７Ｍは、感光ドラム５Ｍの周面にトナーを供給して、トナー像を形成する。現像カートリッジ７Ｙは、感光ドラム５Ｙの周面にトナーを供給して、トナー像を形成する。
【００４６】
１．７  転写装置
転写装置８は、搬送ベルト８０と、４つの転写ローラ８１Ｋ、８１Ｃ、８１Ｍ、８１Ｙとを備える。搬送ベルト８０は、周回移動する。搬送ベルト８０は、給紙トレイ４から供給された用紙Ｐが感光ドラム５Ｙ、５Ｍ、５Ｃ、５Ｋの順に接触するように、用紙Ｐを定着装置９に向かって搬送する。
【００４７】
４つの転写ローラ８１Ｋ、８１Ｃ、８１Ｍ、８１Ｙは、搬送ベルト８０の内側に位置する。転写ローラ８１Ｋは、感光ドラム５Ｋの表面に形成されたトナー像を用紙Ｐに転写する。転写ローラ８１Ｃは、感光ドラム５Ｃの表面に形成されたトナー像を用紙Ｐに転写する。転写ローラ８１Ｍは、感光ドラム５Ｍの表面に形成されたトナー像を用紙Ｐに転写する。転写ローラ８１Ｙは、感光ドラム５Ｙの表面に形成されたトナー像を用紙Ｐに転写する。
【００４８】
１．８  定着装置
定着装置９は、トナー像が転写された用紙Ｐを加熱および加圧して、用紙Ｐにトナー像を定着させる。定着装置９を通過した用紙Ｐは、排紙口３００２を通って、排紙トレイ３０に排紙される。
【００４９】
２．露光ヘッド組の詳細
次に、図２を参照して、４つの露光ヘッド組６Ｋ、６Ｃ、６Ｍ、６Ｙの詳細について説明する。４つの露光ヘッド組６Ｋ、６Ｃ、６Ｍ、６Ｙのうち、まず、露光ヘッド組６Ｋについて説明する。
【００５０】
図２に示すように、露光ヘッド組６Ｋは、ヘッドホルダ６２０Ｋと、ヘッドフレーム６２２Ｋと、ＬＥＤプリントヘッド（以下、ＬＰＨとする。）６０Ｋと、を備える。
２．１  ヘッドホルダ
ヘッドホルダ６２０Ｋは、トップカバー３に連結される。ヘッドホルダ６２０Ｋは、ホルダ本体６２３Ｋと、２つのシャフト６４ＫＲ，６４ＫＬと、アーム６５Ｋと、突起６３Ｋとを有する。
【００５１】
ホルダ本体６２３Ｋは、第１方向に延びる。ホルダ本体６２３Ｋは、ヘッドフレーム６２２Ｋを少しの遊びを持って支持する。
【００５２】
２つのシャフト６４ＫＲ，６４ＫＬは、ホルダ本体６２３Ｋに設けられる。２つのシャフト６４ＫＲ，６４ＫＬは、第１方向に間隔を空けて位置する。シャフト６４ＫＲは、第１方向において、ホルダ本体６２３Ｋに対してシャフト６４ＫＬの反対側に位置する。シャフト６４ＫＲは、ホルダ本体６２３Ｋから突出する。シャフト６４ＫＲは、第１方向に延び、円柱形状を有する。シャフト６４ＫＲの中心軸６６Ｋは、第１方向に延びる。シャフト６４ＫＬは、シャフト６４ＫＲと同じ構造を有し、同様に説明できる。
【００５３】
アーム６５Ｋは、ホルダ本体６２３Ｋに設けられる。アーム６５Ｋは、ホルダ本体６２３Ｋに対してヘッドフレーム６２２Ｋの反対側に位置する。アーム６５Ｋは、ヘッドホルダ６２０Ｋからトップカバー３に向かって突出する。
【００５４】
突起６３Ｋは、アーム６５Ｋに設けられる。突起６３Ｋは、第１方向において、アーム６５Ｋに対してシャフト６４ＫＲと同じ側に位置する。突起６３Ｋは、アーム６５Ｋから突出する。突起６３Ｋは、第１方向に延び、円柱形状を有する。突起６３Ｋの中心軸６７Ｋは、第１方向に延びる。
【００５５】
２．２  ヘッドフレーム
ヘッドフレーム６２２Ｋは、ヘッドホルダ６２０Ｋに少しの遊びを持って連結される。ヘッドフレーム６２２Ｋは、ＬＰＨ６０Ｋを支持する。
【００５６】
２．３  ＬＰＨ
ＬＰＨ６０Ｋは、ＬＰＨフレーム６０１Ｋと、基板６０２Ｋと、発光部６００Ｋと、光学部材６１０Ｋとを備える。つまり、露光ヘッド組６Ｋは、ＬＰＨフレーム６０１Ｋと、基板６０２Ｋと、発光部６００Ｋと、光学部材６１０Ｋとを有する。なお、図２では、ＬＰＨ６０Ｋの構成を説明するために、便宜上、ＬＰＨ６０Ｋの正断面を示す。
【００５７】
ＬＰＨフレーム６０１Ｋは、基板６０２Ｋと、発光部６００Ｋと、光学部材６１０Ｋとを支持する。つまり、ヘッドフレーム６２２Ｋは、ＬＰＨフレーム６０１Ｋを介して、基板６０２Ｋと発光部６００Ｋと光学部材６１０Ｋとを支持する。
【００５８】
基板６０２Ｋは、ＬＰＨフレーム６０１Ｋ内に位置する。基板６０２Ｋは、発光部６００Ｋに給電可能である。基板６０２Ｋは、発光部６００Ｋを支持する。発光部６００Ｋは、発光可能である。発光部６００Ｋは、複数の発光素子を備える。複数の発光素子は、第１方向に並ぶ。発光素子は、具体的には、ＬＥＤである。なお、発光素子は、有機ＥＬ素子であってもよい。
【００５９】
光学部材６１０Ｋは、トップカバー３が閉位置に位置する状態において発光部６００Ｋが発する光を感光ドラム５Ｋの表面に結像させる。光学部材６１０Ｋは、具体的には、複数のレンズからなるレンズアレイである。光学部材６１０Ｋは、発光部６００Ｋに対して基板６０２Ｋの反対側において、ＬＰＨフレーム６０１Ｋに支持される。光学部材６１０Ｋは、トップカバー３が閉位置に位置する状態において、発光部６００Ｋと感光ドラム５Ｋとの間に位置する。
【００６０】
２．７  露光ヘッド組６Ｃ、６Ｍ、６Ｙ
露光ヘッド組６Ｃ、６Ｍ、６Ｙのそれぞれは、シャフト６４と突起６３との間の距離を除いて、露光ヘッド組６Ｋと同じ構造を有し、同様に説明できる。つまり、露光ヘッド組６Ｃは、ヘッドホルダ６２０Ｃと、ヘッドフレーム６２２Ｃと、ＬＰＨ６０Ｃとを有する。ヘッドホルダ６２０Ｃは、ホルダ本体６２３Ｃと、２つのシャフト６４ＣＲ，６４ＣＬと、アーム６５Ｃと、突起６３Ｃとを備える。ＬＰＨ６０Ｃは、ＬＰＨフレーム６０１Ｃと、基板６０２Ｃと、発光部６００Ｃと、光学部材６１０Ｃとを備える。光学部材６１０Ｃは、トップカバー３が閉位置に位置する状態において発光部６００Ｃが発する光を感光ドラム５Ｃの表面に結像させる。ヘッドフレーム６２２Ｃは、ＬＰＨフレーム６０１Ｃを介して、基板６０２Ｃと発光部６００Ｃと光学部材６１０Ｃとを支持する。
【００６１】
露光ヘッド組６Ｍは、ヘッドホルダ６２０Ｍと、ヘッドフレーム６２２Ｍと、ＬＰＨ６０Ｍとを有する。ヘッドホルダ６２０Ｍは、ホルダ本体６２３Ｍと、２つのシャフト６４ＭＲ，６４ＭＬと、アーム６５Ｍと、突起６３Ｍとを備える。ＬＰＨ６０Ｍは、ＬＰＨフレーム６０１Ｍと、基板６０２Ｍと、発光部６００Ｍと、光学部材６１０Ｍとを備える。光学部材６１０Ｍは、トップカバー３が閉位置に位置する状態において発光部６００Ｍが発する光を感光ドラム５Ｍの表面に結像させる。ヘッドフレーム６２２Ｍは、ＬＰＨフレーム６０１Ｍを介して、基板６０２Ｍと発光部６００Ｍと光学部材６１０Ｍとを支持する。
【００６２】
露光ヘッド組６Ｙは、ヘッドホルダ６２０Ｙと、ヘッドフレーム６２２Ｙと、ＬＰＨ６０Ｙとを有する。ヘッドホルダ６２０Ｙは、ホルダ本体６２３Ｙと、２つのシャフト６４ＹＲ，６４ＹＬと、アーム６５Ｙと、突起６３Ｙとを備える。ＬＰＨ６０Ｙは、ＬＰＨフレーム６０１Ｙと、基板６０２Ｙと、発光部６００Ｙと、光学部材６１０Ｙとを備える。光学部材６１０Ｙは、トップカバー３が閉位置に位置する状態において発光部６００Ｙが発する光を感光ドラム５Ｙの表面に結像させる。ヘッドフレーム６２２Ｙは、ＬＰＨフレーム６０１Ｙを介して、基板６０２Ｙと発光部６００Ｙと光学部材６１０Ｙとを支持する。
【００６３】
なお、シャフト６４ＣＲと突起６３Ｃとの間の距離、シャフト６４ＭＲと突起６３Ｍとの間の距離、および、シャフト６４ＹＲと突起６３Ｙとの間の距離は、互いに同じであり、シャフト６４ＫＲと突起６３Ｋとの間の距離よりも小さい。
【００６４】
３．トップカバーの詳細
次に、図３および図４を参照して、トップカバー３の詳細について説明する。
【００６５】
図３に示すように、トップカバー３は、排紙トレイ３０を含むカバー本体３１と、２つの露光ヘッド支持部３２Ｒ，３２Ｌと、リンク機構支持部３３とを備える。
【００６６】
３．１  カバー本体
カバー本体３１は、トップカバー３が閉位置に位置する状態において、画像形成装置１の上面を構成する（図１参照）。
【００６７】
３．２  露光ヘッド支持部
２つの露光ヘッド支持部３２Ｒ，３２Ｌは、４つの露光ヘッド組６Ｋ、６Ｃ、６Ｍ、６Ｙを回転可能に支持する。２つの露光ヘッド支持部３２Ｒ，３２Ｌは、カバー本体３１に支持される。２つの露光ヘッド支持部３２Ｒ，３２Ｌは、第１方向に互いに間隔を空けて位置する。露光ヘッド支持部３２Ｒは、第１方向において、４つの露光ヘッド組６Ｋ、６Ｃ、６Ｍ、６Ｙに対して、露光ヘッド支持部３２Ｌの反対側に位置する。２つの露光ヘッド支持部３２Ｒ，３２Ｌは、同じ構造であるから、代表して露光ヘッド支持部３２Ｒについて説明する。
【００６８】
図４に示すように、露光ヘッド支持部３２Ｒは、支持板６８と、４つの軸受６９Ｋ，６９Ｃ，６９Ｍ，６９Ｙとを備える。支持板６８は、トップカバー３が閉状態に位置する状態において、カバー本体３１から下方に突出し、第２方向に延びる。支持板６８は、第１方向において、４つのアーム６５Ｋ，６５Ｃ，６５Ｍ，６５Ｙと間隔を空けて向かい合う（図５参照）。４つの軸受６９Ｋ，６９Ｃ，６９Ｍ，６９Ｙのそれぞれは、トップカバー３が閉状態に位置する状態において、支持板６８の下端から下方に突出する。４つの軸受６９Ｋ，６９Ｃ，６９Ｍ，６９Ｙは、互いに間隔を空けて位置する。
【００６９】
軸受６９Ｋは、シャフト６４ＫＲを回転可能に支持する。軸受６９Ｋは、穴６９０Ｋを有する。穴６９０Ｋには、シャフト６４ＫＲが挿入される。穴６９０Ｋは、円形状を有する。穴６９０Ｋの内径は、シャフト６４ＫＲの外径と同じである。なお、露光ヘッド支持部３２Ｌが備える軸受６９Ｋは、シャフト６４ＫＬを回転可能に支持する。これによって、露光ヘッド組６Ｋは、２つのシャフト６４ＫＲ，６４ＫＬの中心軸を回転中心６６Ｋとして、トップカバー３に回転可能に支持される。
【００７０】
軸受６９Ｃは、シャフト６４ＣＲを回転可能に支持する。軸受６９Ｃは、穴６９０Ｃを有する。穴６９０Ｃには、シャフト６４ＣＲが挿入される。穴６９０Ｃは、円形状を有する。穴６９０Ｃの内径は、シャフト６４ＣＲの外径と同じである。なお、露光ヘッド支持部３２Ｌが備える軸受６９Ｃは、シャフト６４ＣＬを回転可能に支持する。これによって、露光ヘッド組６Ｃは、２つのシャフト６４ＣＲ，６４ＣＬの中心軸を回転中心６６Ｃとして、トップカバー３に回転可能に支持される。
【００７１】
軸受６９Ｍは、シャフト６４ＭＲを回転可能に支持する。軸受６９Ｍは、穴６９０Ｍを有する。穴６９０Ｍには、シャフト６４ＭＲが挿入される。穴６９０Ｍは、円形状を有する。穴６９０Ｍの内径は、シャフト６４ＭＲの外径と同じである。なお、露光ヘッド支持部３２Ｌが備える軸受６９Ｍは、シャフト６４ＭＬを回転可能に支持する。これによって、露光ヘッド組６Ｍは、２つのシャフト６４ＭＲ，６４ＭＬの中心軸を回転中心６６Ｍとして、トップカバー３に回転可能に支持される。
【００７２】
軸受６９Ｙは、シャフト６４ＹＲを回転可能に支持する。軸受６９Ｙは、穴６９０Ｙを有する。穴６９０Ｙには、シャフト６４ＹＲが挿入される。穴６９０Ｙは、円形状を有する。穴６９０Ｙの内径は、シャフト６４ＹＲの外径と同じである。なお、露光ヘッド支持部３２Ｌが備える軸受６９Ｙは、シャフト６４ＹＬを回転可能に支持する。これによって、露光ヘッド組６Ｙは、２つのシャフト６４ＹＲ，６４ＹＬの中心軸を回転中心６６Ｙとして、トップカバー３に回転可能に支持される。
【００７３】
３．３  リンク機構支持部
リンク機構支持部３３は、リンク機構１１を支持する。リンク機構１１については、後で詳しく説明する。リンク機構支持部３３は、露光ヘッド支持部３２Ｒとトップカバー３の第１端３４との間に位置する。リンク機構支持部３３は、第１壁３３０と、シャフト３３２と、第２壁３３１と備える。
【００７４】
第１壁３３０は、トップカバー３が閉位置に位置する状態において、カバー本体３１から下方に延びる。第１壁３３０は、穴３３００を有する。シャフト３３２は、レバー１１０を回転可能に支持する。レバー１１０については、後で説明する。シャフト３３２は、穴３３００に対してカバー本体３１の反対側に位置する。シャフト３３２は、第１壁３３０から第１方向に延び、円柱形状を有する。第２壁３３１は、第１接触部１１１の移動をガイドする。第１接触部１１１については、後で説明する。第２壁３３１は、シャフト３３２に対して、カバー本体３１の反対側に間隔を空けて位置する。第２壁３３１は、第１壁３３０から第１方向に延びる。
【００７５】
４．画像形成装置の詳細
次に、図４および図５を参照して、画像形成装置１の詳細について説明する。
【００７６】
図４および図５に示すように、画像形成装置１は、リンク部材１０と、４つのジョイント１４Ｋ，１４Ｃ，１４Ｍ，１４Ｙと、バネ１３と、リンク機構１１とをさらに備える。
【００７７】
４．１  リンク部材
リンク部材１０は、リンク機構１１により、トップカバー３の開閉に連動して移動する。リンク部材１０は、第１方向において、４つのアーム６５Ｋ，６５Ｃ，６５Ｍ，６５Ｙと、支持板６８との間に位置する。リンク部材１０は、支持板６８に沿って移動可能である。リンク部材１０の移動方向は、第１方向と交差する。
【００７８】
図５に示すように、リンク部材１０は、トップカバー３が閉位置に位置する状態において、第２方向に延びる。リンク部材１０は、４つの穴１００Ｋ，１００Ｃ，１００Ｍ，１００Ｙと、ボス１０１とを備える。
【００７９】
４つの穴１００Ｋ，１００Ｃ，１００Ｍ，１００Ｙは、リンク部材１０の移動方向において、第１端３４に近い方から順に、互いに間隔を空けて位置する。４つの穴１００Ｋ，１００Ｃ，１００Ｍ，１００Ｙについては、後で詳しく説明する。ボス１０１は、第１方向に延びる。ボス１０１は、第１壁３３０の穴３３００を通る（図４参照）。
【００８０】
４．２  ジョイント
４つのジョイント１４Ｋ，１４Ｃ，１４Ｍ，１４Ｙは、リンク部材１０と、４つの露光ヘッド組６Ｋ，６Ｃ，６Ｍ，６Ｙとを連結する。ジョイント１４Ｋは、リンク部材１０と露光ヘッド組６Ｋとを連結する。ジョイント１４Ｋは、露光ヘッド組６Ｋの回転中心６６Ｋに対して光学部材６１０Ｋの反対側に位置する。ジョイント１４Ｋは、上記した突起６３Ｋと、上記した穴１００Ｋとから構成される。言い換えれば、ジョイント１４Ｋは、突起６３Ｋと、穴１００Ｋとを備える。穴１００Ｋには、突起６３Ｋが挿入される。突起６３Ｋは、露光ヘッド組６Ｋの回転中心６６Ｋに対して光学部材６１０Ｋの反対側に位置する。突起６３Ｋの中心軸６７Ｋは、トップカバー３が閉位置に位置する状態において、回転中心６６Ｋに対してトップカバー３の第１端３４側に位置する。穴１００Ｋは、２つのガイド面１０２，１０３と、２つの連結面１０４，１０５とを有する。
【００８１】
２つのガイド面１０２，１０３は、リンク部材１０が移動するときに、突起６３Ｋの移動をガイドする。２つのガイド面１０２，１０３は、互いに平行となるように、リンク部材１０の移動方向と交差する交差方向に延び、トップカバー３が閉鎖位置に位置する状態において上下方向に延びる。交差方向は、好ましくは、第１方向と直交する。２つのガイド面１０２，１０３のそれぞれは、交差方向に延びる平面である。２つのガイド面１０２，１０３のそれぞれは、交差方向において、第１端と、第１端の反対側に位置する第２端とを有する。２つのガイド面１０２，１０３は、交差方向と直交する直交方向に互いに間隔を空けて位置し、トップカバー３が閉鎖位置に位置する状態において第２方向に互いに間隔を空けて位置する。直交方向は、好ましくは、第１方向と直交し、リンク部材１０の移動方向と交差する。
【００８２】
２つの連結面１０４，１０５は、交差方向に互いに間隔を空けて配置される。連結面１０４は、ガイド面１０２の第１端とガイド面１０３の第１端とを連結する。連結面１０５は、ガイド面１０２の第２端とガイド面１０３の第２端とを連結する。２つの連結面１０４，１０５のそれぞれは、半円弧形状を有する曲面である。なお、２つの連結面１０４，１０５のそれぞれは、直交方向に直線状に延びる平面であってもよい。
【００８３】
リンク部材１０の移動方向と交差する交差方向における穴１００Ｋの寸法は、交差方向における突起６３Ｋの寸法よりも大きい。交差方向と直交する直交方向における穴１００Ｋの寸法は、直交方向における突起６３Ｋの寸法と同じである。言い換えれば、直交方向における２つのガイド面１０２，１０３の間の間隔は、突起６３Ｋの外径と同じである。
【００８４】
ジョイント１４Ｃは、リンク部材１０と露光ヘッド組６Ｃとを連結する。ジョイント１４Ｃは、露光ヘッド組６Ｃの回転中心６６Ｃに対して光学部材６１０Ｃの反対側に位置する。ジョイント１４Ｃは、上記した突起６３Ｃと、上記した穴１００Ｃとから構成される。言い換えれば、ジョイント１４Ｃは、突起６３Ｃと、穴１００Ｃとを備える。穴１００Ｃには、突起６３Ｃが挿入される。突起６３Ｃの中心軸６７Ｃは、トップカバー３が閉位置に位置する状態において、回転中心６６Ｃに対して第１端３４側に位置する。穴１００Ｃは、円形状を有する。穴１００Ｃの内径は、突起６３Ｃの外径と同じである。
【００８５】
ジョイント１４Ｍは、リンク部材１０と露光ヘッド組６Ｍとを連結する。ジョイント１４Ｍは、露光ヘッド組６Ｍの回転中心６６Ｍに対して光学部材６１０Ｍの反対側に位置する。ジョイント１４Ｍは、上記した突起６３Ｍと、上記した穴１００Ｍとから構成される。言い換えれば、ジョイント１４Ｍは、突起６３Ｍと、穴１００Ｍとを備える。穴１００Ｍは、突起６３Ｍが挿入される。突起６３Ｍの中心軸６７Ｍは、トップカバー３が閉位置に位置する状態において、回転中心６６Ｍに対して第１端３４側に位置する。穴１００Ｍは、円形状を有する。穴１００Ｍの内径は、突起６３Ｍの外径と同じである。
【００８６】
ジョイント１４Ｙは、リンク部材１０と露光ヘッド組６Ｙと連結する。ジョイント１４Ｙは、露光ヘッド組６Ｙの回転中心６６Ｙに対して光学部材６１０Ｙの反対側に位置する。ジョイント１４Ｙは、上記した突起６３Ｙと、上記した穴１００Ｙとから構成される。言い換えれば、ジョイント１４Ｙは、突起６３Ｙと、穴１００Ｙとを備える。穴１００Ｙは、突起６３Ｙが挿入される。突起６３Ｙの中心軸６７Ｙは、トップカバー３が閉位置に位置する状態において、回転中心６６Ｙに対して第１端３４側に位置する。穴１００Ｙは、円形状を有する。穴１００Ｙの内径は、突起６３Ｙの外径と同じである。
【００８７】
そして、露光ヘッド組６Ｋの回転中心６６Ｋとジョイント１４Ｋの突起６３Ｋの中心軸６７Ｋとの間の距離Ｌ３は、露光ヘッド組６Ｃの回転中心６６Ｃとジョイント１４Ｃの突起６３Ｃの中心軸６７Ｃとの間の距離Ｌ４よりも大きい。
【００８８】
また、本実施形態では、露光ヘッド組６Ｍの回転中心６６Ｍと、ジョイント１４Ｍの突起６３Ｍの中心軸６７Ｍとの間の距離Ｌ５と、露光ヘッド組６Ｙの回転中心６６Ｙとジョイント１４Ｙの突起６３Ｙの中心軸６７Ｙとの間の距離Ｌ６とは、距離Ｌ４と同じである。
【００８９】
４．３  バネ
バネ１３は、リンク部材１０を、トップカバー３の第２端３５側に向かって付勢する。バネ１３は、リンク部材１０の移動方向において、リンク部材１０に対してトップカバー３の第１端３４の反対側に位置する。バネ１３は、リンク部材１０をトップカバー３の第２端３５側に向かって引っ張る。バネ１３は、引っ張りコイルバネである。バネ１３は、リンク部材１０の移動方向において、第１端と、第２端とを有する。バネ１３の第１端は、露光ヘッド支持部３２Ｒに固定される。バネ１３の第２端は、リンク部材１０に固定される。
【００９０】
４．４  リンク機構
図４に示すように、リンク機構１１は、トップカバー３の開閉と、リンク部材１０の移動とをリンクさせる。リンク機構１１は、リンク機構支持部３３に支持される。リンク機構１１は、レバー１１０と、第１接触部１１１と、アーム１１２とを備える。
【００９１】
レバー１１０は、筒部１１００と、第２接触部１１０１と、連結部１１０２とを備える。筒部１１００は、第１方向に延び、円筒形状を有する。筒部１１００には、リンク機構支持部３３のシャフト３３２が挿入される。第２接触部１１０１は、筒部１１００の外周面から筒部１１００の径方向に突出する。連結部１１０２は、筒部１１００に対して、第２接触部１１０１の反対側に位置する。連結部１１０２は、筒部１１００の外周面から筒部１１００の径方向に突出する。連結部１１０２は、ボス穴１１０３を有する。ボス穴１１０３には、穴３３００を介して、リンク部材１０のボス１０１が挿入される。
【００９２】
レバー１１０は、シャフト３３２について回転可能である。上記したように、リンク部材１０は、バネ１３により、トップカバー３の第２端３５に向かって付勢されている（図５参照）。そのため、ボス１０１は、連結部１１０２をトップカバー３の第２端３５に向かって押圧する。これによって、レバー１１０は、回転するように力を受ける。
【００９３】
第１接触部１１１は、レバー１１０の回転を規制する。第１接触部１１１は、第２接触部１１０１に対して、トップカバー３の第１端３４側から接触する。これによって、第１接触部１１１は、リンク部材１０の移動を規制する。
【００９４】
アーム１１２は、筐体２と第１接触部１１１とを連結する。アーム１１２は、第１端１１２０と、第２端１１２１とを有する。アーム１１２の第１端１１２０は、筐体２に回転可能に支持される。アーム１１２の第１端１１２０は、第２方向において、トップカバー３の回転軸３６に対して間隔を空けて位置する。アーム１１２の第１端１１２０は、トップカバー３の回転軸３６よりも下方に位置する。アーム１１２の第２端１１２１は、第１接触部１１１に回転可能に連結される。
【００９５】
５．トップカバーが閉位置から開位置に移動するときの露光ヘッド組の動作
次に、図４から図７を参照して、トップカバー３が閉位置から開位置に移動するときの露光ヘッド組６の動作について説明する。
【００９６】
トップカバー３が閉位置から開位置に向かって移動するときに、アーム１１２は、第１端１１２０を支点として、第２端１１２１がトップカバー３の回転軸３６に近づくように回転する。すると、第１接触部１１１は、第２接触部１１０１から離れるように、第２壁３３１に沿って第１端３４側に移動する。これによって、第１接触部１１１は、その移動に応じて、レバー１１０の回転を許容する。
【００９７】
すると、図５および図６に示すように、リンク部材１０は、レバー１１０の回転に応じて、バネ１３によって、トップカバー３の第２端３５側に向かって移動する。
【００９８】
ここで、２つのガイド面１０２，１０３の間の間隔が、突起６３Ｋの外径と同じであり、穴１００Ｃの内径が、突起６３Ｃの外径と同じであり、穴１００Ｍの内径が、突起６３Ｍの外径と同じであり、穴１００Ｙの内径が、突起６３Ｙの外径と同じである。つまり、４つのジョイント１４Ｋ，１４Ｃ，１４Ｍ，１４Ｙは、リンク部材１０の移動方向において、互いに同程度の遊びを有する。
【００９９】
そのため、リンク部材１０は第２端３５側に向かって移動するときに、４つの突起６３Ｋ，６３Ｃ，６３Ｍ，６３Ｙを同時に押圧する。そして、突起６３Ｋは回転中心６６Ｋについて回転し、突起６３Ｃは回転中心６６Ｃについて回転し、突起６３Ｍは回転中心６６Ｍについて回転し、突起６３Ｙは回転中心６６Ｙについて回転する。
【０１００】
これによって、４つの露光ヘッド組６Ｋ、６Ｃ、６Ｍ、６Ｙは、同時に回転して折り畳みを開始する。具体的には、露光ヘッド組６Ｋは、光学部材６１０Ｋがトップカバー３の第１端３４に近づく向きに回転する。また、露光ヘッド組６Ｃは、現像カートリッジ７Ｋと現像カートリッジ７Ｃとの間から抜けるとともに、光学部材６１０Ｃが第１端３４に近づく向きに回転する。また、露光ヘッド組６Ｍは、現像カートリッジ７Ｃと現像カートリッジ７Ｍとの間から抜けるとともに、光学部材６１０Ｍが第１端３４に近づく向きに回転する。また、露光ヘッド組６Ｙは、現像カートリッジ７Ｍと現像カートリッジ７Ｙとの間から抜けるとともに、光学部材６１０Ｙが第１端３４に近づく向きに回転する。
【０１０１】
つまり、リンク部材１０は、トップカバー３が閉位置から開位置に移動するときに、露光ヘッド組６Ｋを、光学部材６１０Ｋがトップカバー３の第１端３４に近づく向きに回転させるとともに、露光ヘッド組６Ｃを、光学部材６１０Ｃがトップカバー３の第１端３４に近づく向きに回転させる。また、リンク部材１０は、トップカバー３が閉位置から開位置に移動するときに、露光ヘッド組６Ｍを、光学部材６１０Ｍがトップカバー３の第１端３４に近づく向きに回転させるとともに、露光ヘッド組６Ｙを、光学部材６１０Ｙがトップカバー３の第１端３４に近づく向きに回転させる。
【０１０２】
そして、リンク部材１０は、第２端３５側に向かって移動するとともに、３つの突起６３Ｃ，６３Ｍ，６３Ｙの回転により、カバー本体３１に近づくように移動した後（図６参照）、カバー本体３１から離れるように移動する（図７参照）。このとき、２つのガイド面１０２，１０３が、突起６３Ｋの移動をガイドして、穴１００Ｋが、突起６３Ｋの移動を許容する（図５参照）。
【０１０３】
その後、図７に示すように、トップカバー３は、開位置に到達する。トップカバー３が開位置に位置する状態において、突起６３Ｋの中心軸６７Ｋは、回転中心６６Ｋに対して第２端３５側に位置し、露光ヘッド組６Ｋは、光学部材６１０Ｋがジョイント１４Ｋよりも第１端３４の近くに位置する。また、トップカバー３が開位置に位置する状態において、突起６３Ｃの中心軸６７Ｃは、回転中心６６Ｃに対して第２端３５側に位置し、露光ヘッド組６Ｃは、光学部材６１０Ｃがジョイント１４Ｃよりも第１端３４の近くに位置する。また、トップカバー３が開位置に位置する状態において、突起６３Ｍの中心軸６７Ｍは、回転中心６６Ｍに対して第２端３５側に位置し、露光ヘッド組６Ｍは、光学部材６１０Ｍがジョイント１４Ｍよりも第１端３４の近くに位置する。また、トップカバー３が開位置に位置する状態において、突起６３Ｙの中心軸６７Ｙは、回転中心６６Ｙに対して第２端３５側に位置し、露光ヘッド組６Ｙは、光学部材６１０Ｙがジョイント１４Ｙよりも第１端３４の近くに位置する。
【０１０４】
そのため、トップカバー３が開位置に位置する状態において、４つの露光ヘッド組６Ｋ、６Ｃ、６Ｍ、６Ｙを、トップカバー３側に折り畳むことができる。その結果、図７において仮想線で示す現像カートリッジ７Ｋのように、４つの露光ヘッド組６Ｋ、６Ｃ、６Ｍ、６Ｙが、筐体２に対する現像カートリッジ７Ｋ、７Ｃ、７Ｍ、７Ｙの装着の邪魔になることを抑制できる。
【０１０５】
また、露光ヘッド組６Ｋの回転中心６６Ｋと突起６３Ｋの中心軸６７Ｋとの間の距離Ｌ３は、露光ヘッド組６Ｃの回転中心６６Ｃと突起６３Ｃの中心軸６７Ｃとの間の距離Ｌ４よりも大きい（図５参照）。そのため、トップカバー３が開位置に位置する状態において、トップカバー３に対する露光ヘッド組６Ｋの折り畳み量は、トップカバー３に対する露光ヘッド組６Ｃの折り畳み量よりも小さい。そのため、露光ヘッド組６Ｋは、トップカバー３が開位置に位置する状態において、排紙トレイ３０と接触せず、排紙トレイ３０を構成する第２壁３００１に対して間隔を空けて位置する。
【０１０６】
６．作用効果
図５および図６に示すように、ジョイント１４Ｋにおいて、２つのガイド面１０２，１０３の間隔は、突起６３Ｋの外径と同じである。ジョイント１４Ｃにおいて、穴１００Ｃの内径は、突起６３Ｃの外径と同じである。ジョイント１４Ｍにおいて、穴１００Ｍの内径は、突起６３Ｍの外径と同じである。ジョイント１４Ｙにおいて、穴１００Ｙの内径は、突起６３Ｙの外径と同じである。
【０１０７】
つまり、４つのジョイント１４Ｋ，１４Ｃ，１４Ｍ，１４Ｙは、リンク部材１０の移動方向において、互いに同程度の遊びを有する。
【０１０８】
そのため、リンク部材１０が、トップカバー３と連動して移動すると、４つの露光ヘッド組６Ｋ，６Ｃ，６Ｍ，６Ｙが同時に回転して折り畳みを開始する。
【０１０９】
また、露光ヘッド組６Ｋの回転中心６６Ｋと突起６３Ｋの中心軸６７Ｋとの間の距離Ｌ３は、露光ヘッド組６Ｃの回転中心６６Ｃと突起６３Ｃの中心軸６７Ｃとの間の距離Ｌ４よりも大きい。また、露光ヘッド組６Ｍの回転中心６６Ｍと突起６３Ｍの中心軸６７Ｍとの間の距離Ｌ５、および、露光ヘッド組６Ｙの回転中心６６Ｙと突起６３Ｙの中心軸６７Ｙとの間の距離Ｌ６は、露光ヘッド組６Ｃの回転中心６６Ｃと突起６３Ｃの中心軸６７Ｃとの間の距離Ｌ４と同じである。
【０１１０】
そのため、４つのジョイント１４Ｋ，１４Ｃ，１４Ｍ，１４Ｙが有する遊びが互いに同程度であり、４つの露光ヘッド組６Ｋ，６Ｃ，６Ｍ，６Ｙが同時に回転して折り畳みを開始しても、トップカバー３が開位置に位置する状態において、露光ヘッド組６Ｋの折り畳み量は、３つの露光ヘッド組６Ｃ，６Ｍ，６Ｙのそれぞれの折り畳み量よりも小さくなる。
【０１１１】
そのため、図７に示すように、ジョイント１４Ｋの遊びに起因する露光ヘッド組６Ｋの揺動を、３つの露光ヘッド組６Ｃ，６Ｍ，６Ｙの揺動と同程度に維持できながら、トップカバー３が開位置に位置する状態において、露光ヘッド組６Ｋの折り畳み量を、３つの露光ヘッド組６Ｃ，６Ｍ，６Ｙのそれぞれの折り畳み量よりも小さくできる。その結果、露光ヘッド組６Ｋの近くに、排紙トレイ３０を構成する第２壁３００１を配置することができる。
【０１１２】
一方、トップカバー３が開位置に位置する状態において、３つの露光ヘッド組６Ｃ，６Ｍ，６Ｙの折り畳み量を比較的大きく確保できるので、３つの露光ヘッド組６Ｃ，６Ｍ，６Ｙが、現像カートリッジ７Ｋ、７Ｃ、７Ｍ、７Ｙの装着の邪魔になることを抑制できる。
【０１１３】
また、ジョイント１４Ｋの遊びに起因する露光ヘッド組６Ｋの揺動を、３つの露光ヘッド組６Ｃ，６Ｍ，６Ｙの揺動と同程度に維持できるので、トップカバー３を開閉するときに、露光ヘッド組６Ｋが通過する可能性のある空間を、３つの露光ヘッド組６Ｃ，６Ｍ，６Ｙのそれぞれが通過する可能性のある空間と同程度に狭めることができる。
【０１１４】
その結果、露光ヘッド組６Ｋが他の部品と衝突しないために空ける空間を、３つの露光ヘッド組６Ｃ，６Ｍ，６Ｙのそれぞれが他の部品と衝突しないために空ける空間と同程度に狭めることができ、画像形成装置１の小型化を図ることができる。あるいは、露光ヘッド組６Ｋが通過する可能性のある空間を狭めることにより空いた空間を利用して、トナーの収容量が大きい大容量の現像カートリッジ７Ｋを配置することができる。
【０１１５】
７．第２実施形態
次に、図８を参照して、本発明の第２実施形態について説明する。第２実施形態において、上記した実施形態と同様の部材には同じ符号を付し、説明を省略する。
【０１１６】
図８に示すように、第２実施形態の画像形成装置１では、露光ヘッド組６Ｍの回転中心６６Ｍとジョイント１４Ｍの突起６３Ｍの中心軸６７Ｍとの間の距離Ｌ５と、露光ヘッド組６Ｙの回転中心６６Ｙとジョイント１４Ｙの突起６３Ｙの中心軸６７Ｙとの間の距離Ｌ６とは、露光ヘッド組６Ｃの回転中心６６Ｃとジョイント１４Ｃの突起６３Ｃの中心軸６７Ｃとの間の距離Ｌ４よりも小さい。また、リンク部材１０の移動方向と交差する交差方向における穴１００Ｃの寸法は、交差方向における突起６３Ｃの寸法よりも大きい。
【０１１７】
また、露光ヘッド組６Ｋの回転中心６６Ｋとジョイント１４Ｋの突起６３Ｋの中心軸６７Ｋとの間の距離Ｌ３は、露光ヘッド組６Ｃの回転中心６６Ｃとジョイント１４Ｃの突起６３Ｃの中心軸６７Ｃとの間の距離Ｌ４よりも大きい。
【０１１８】
画像形成装置１において、トップカバー３をより大きく開くことが望まれる場合がある。しかし、トップカバー３を第１実施形態の開位置よりも大きく開くと（図７参照）、露光ヘッド組６Ｃが、露光ヘッド組６Ｋと接触するおそれがある。
【０１１９】
一方、第２実施形態によれば、露光ヘッド組６Ｃの回転中心６６Ｃと突起６３Ｃの中心軸６７Ｃとの間の距離Ｌ４は、露光ヘッド組６Ｋの回転中心６６Ｋと突起６３Ｋの中心軸６７Ｋとの間の距離Ｌ３よりも小さい一方、露光ヘッド組６Ｍの回転中心６６Ｍと突起６３Ｍの中心軸６７Ｍとの間の距離Ｌ５および露光ヘッド組６Ｙの回転中心６６Ｙと突起６３Ｙの中心軸６７Ｙとの間の距離Ｌ６のそれぞれよりも大きい。
【０１２０】
そのため、トップカバー３が開位置に位置した状態において、露光ヘッド組６Ｃの折り畳み量を、露光ヘッド組６Ｋの折り畳み量よりも大きく、かつ、露光ヘッド組６Ｍの折り畳み量および露光ヘッド組６Ｙの折り畳み量のそれぞれよりも小さくすることができる。その結果、トップカバー３をより大きく開いても、露光ヘッド組６Ｋが排紙トレイ３０を構成する壁と接触することを抑制できながら、露光ヘッド組６Ｃが露光ヘッド組６Ｋと接触することを抑制できる。これによって、筐体２に装着される現像カートリッジ７Ｋ、７Ｃ、７Ｍ、７Ｙに対するアクセス性の向上を図ることができる。
【０１２１】
このような第２実施形態においても、第１実施形態と同様の作用効果を奏することができる。
【０１２２】
８．変形例
上記した第１実施形態および第２実施形態では、トップカバー３の第１端３４が筐体２に直接回転可能に支持されるが、本発明はこれに限定されない。画像形成装置１は、トップカバー３を筐体２に回転可能に接続するヒンジを備えてもよい。この場合、トップカバー３は、トップカバー３の第１端３４側が、ヒンジにより、筐体２に連結される。また、画像形成装置１は、トップカバー３と筐体２とを連結するダンパであって、トップカバー３の開閉速度を抑えるダンパを備えていてもよい。
【０１２３】
上記した第１実施形態および第２実施形態では、リンク部材１０は、第１方向において、４つのヘッドホルダ６２０Ｋ、６２０Ｃ、６２０Ｍ、６２０Ｙの一方にのみ配置されているが、リンク部材１０は、第１方向において、４つのヘッドホルダ６２０Ｋ、６２０Ｃ、６２０Ｍ、６２０Ｙの両側に配置されていてもよい。
【０１２４】
上記した第１実施形態および第２実施形態では、露光ヘッド組６が突起６３を備え、リンク部材１０が穴１００を備えるが、リンク部材１０が突起６３を備え、露光ヘッド組６が穴１００を備えてもよい。これによっても、ジョイント１４を構成できる。
【０１２５】
このような変形例によっても、第１実施形態と同様の作用効果を奏することができる。
【符号の説明】
【０１２６】
１      画像形成装置
２      筐体
２０    開口
３      トップカバー
３０    排紙トレイ
３００  凹部
５      感光ドラム
６      露光ヘッド組
６００    発光部
６１０    光学部材
６２２    ヘッドフレーム
６３    突起
１０    リンク部材
１４    ジョイント
【図１】
2020181100.tif 000003
【図２】
2020181100.tif 000004
【図３】
2020181100.tif 000005
【図４】
2020181100.tif 000006
【図５】
2020181100.tif 000007
【図６】
2020181100.tif 000008
【図７】
2020181100.tif 000009
【図８】
2020181100.tif 000010